(57)【要約】【課題】  共聴システム用機器を使用することなく同一チャンネル障害を回避すると共に、信号品質の劣化を改善する。【解決手段】  ＵＨＦ帯域の複数のチャンネルのテレビ放送を受信する既存の第１のＵＨＦアンテナ１０と、ＵＨＦ帯域において同一チャンネル障害を生じているテレビ放送を異なるチャンネルで受信する第２のＵＨＦアンテナ１１とを備え、第２のＵＨＦアンテナ１１の受信信号はプリアンプ１２により増幅されて混合器１３に第１のＵＨＦアンテナ１０の受信信号と共に供給されている。このプリアンプ１２には、電源抽出器１５により同軸ケーブルに重畳されている直流電源を分離して供給している。これにより、共聴システム用機器を使用することなく同一チャンネル障害を回避すると共に、ＣＮ比（Carrier to Noise ratio）を改善して信号品質の劣化を防止することのできるアンテナ装置とすることができる。【選択図】  図１
2007096573.tif 000002
【特許請求の範囲】
【請求項１】
テレビ放送波を受信可能な第１のテレビ放送局へ向けられている第１の指向性アンテナと、
テレビ放送波を受信可能な第２のテレビ放送局へ向けられている第２の指向性アンテナと、
該第２の指向性アンテナで受信された受信信号を増幅するプリアンプと、
前記第１の指向性アンテナの受信信号と、前記プリアンプで増幅した前記第２の指向性アンテナの受信信号を混合するフィルタを用いていない混合器と、
該混合器から出力される混合受信信号を増幅するブースタと、
出力側に接続された信号伝送路に重畳されて供給された直流電源を分離して前記プリアンプに供給すると共に、入力側に接続された信号伝送路に分離した直流電源を重畳させることにより前記ブースタに直流電源を供給する電源抽出器と、
該電源抽出器の出力側に接続された信号伝送路に直流電源を重畳することにより、直流電源を前記電源抽出器へ供給する電源部と、
を備えることを特徴とするアンテナ装置。
【請求項２】
前記第１の指向性アンテナで受信された受信信号を増幅する第２のプリアンプが設けられており、前記混合器は、前記第２のプリアンプで増幅した前記第１の指向性アンテナの受信信号と、前記プリアンプで増幅した前記第２の指向性アンテナの受信信号とを混合するようにされ、
前記電源抽出器において分離された直流電源が、前記第２のプリアンプにも供給されていることを特徴とする請求項１記載のアンテナ装置。
【請求項３】
前記第１の指向性アンテナおよび前記第２の指向性アンテナと異なる周波数帯域のテレビ放送波を受信可能な第３のテレビ放送局へ向けられている第３の指向性アンテナがさらに設けられており、該第３の指向性アンテナの受信信号が前記ブースタに供給されていることを特徴とする請求項１記載のアンテナ装置。
【請求項４】
衛星放送を受信可能な放送衛星へ向けられている衛星放送指向性アンテナがさらに設けられており、該衛星放送指向性アンテナの受信信号が前記ブースタに供給されていることを特徴とする請求項１記載のアンテナ装置。
【請求項５】
テレビ放送波を受信可能な第１のテレビ放送局へ向けられている第１の指向性アンテナと、
テレビ放送波を受信可能な第２のテレビ放送局へ向けられている第２の指向性アンテナと、
該第２の指向性アンテナで受信された受信信号を増幅するプリアンプと、
前記第１の指向性アンテナの受信信号と、前記プリアンプで増幅した前記第２の指向性アンテナの受信信号を混合するフィルタを用いていない混合器と、
該混合器から出力される混合受信信号を増幅するブースタと、
該ブースタの出力側に接続された信号伝送路に直流電源を重畳することにより、前記ブースタへ直流電源を供給する電源部とを備え、
前記ブースタは、出力側に接続された信号伝送路から供給された直流電源を入力側に接続された信号伝送路から出力できるようにされていると共に、前記混合器は出力側に接続された信号伝送路から供給された直流電源を入力側に接続された信号伝送路へ出力できるようにされており、前記電源部から信号伝送路に重畳された直流電源が前記ブースタおよび前記混合器を介して前記プリアンプへも供給されるようにしたことを特徴とするアンテナ装置。
【請求項６】
前記第１の指向性アンテナで受信された受信信号を増幅する第２のプリアンプが設けられており、前記混合器は、前記第２のプリアンプで増幅した前記第１の指向性アンテナの受信信号と、前記プリアンプで増幅した前記第２の指向性アンテナの受信信号とを混合するようにされ、
前記混合器から入力側に接続された信号伝送路へ出力された直流電源が当該信号伝送路を介して、前記第２のプリアンプにも供給されていることを特徴とする請求項５記載のアンテナ装置。
【請求項７】
前記第１の指向性アンテナおよび前記第２の指向性アンテナと異なる周波数帯域のテレビ放送波を受信可能な第３のテレビ放送局へ向けられている第３の指向性アンテナがさらに設けられており、該第３の指向性アンテナの受信信号が前記ブースタに供給されていることを特徴とする請求項５記載のアンテナ装置。
【請求項８】
衛星放送を受信可能な放送衛星へ向けられている衛星放送指向性アンテナがさらに設けられており、該衛星放送指向性アンテナの受信信号が前記ブースタに供給されていることを特徴とする請求項５記載のアンテナ装置。
【発明の詳細な説明】
【技術分野】
【０００１】
本発明は、地上デジタル放送用チャンネルを確保するためにアナログ放送用チャンネルの変更が行われた場合に用いることのできる家庭用のアンテナ装置に関するものである。
【背景技術】
【０００２】
従来のアンテナ装置の構成例を図１５に示す。
図１５に示すアンテナ装置２００は、ＵＨＦテレビ放送あるいはＶＨＦテレビ放送を受信するアンテナ２０１を有し、アンテナ２０１で受信されたテレビ放送信号をアンプ２０２で増幅してテレビ受像機２０３へ供給している。アンプ２０２は室内に設置されており、コンセントから商用電源（ＡＣ１００Ｖ）が供給されている。
また、従来のアンテナ装置の他の構成例を図１６に示す。
図１６に示すアンテナ装置２１０は、ＵＨＦテレビ放送あるいはＶＨＦテレビ放送を受信するアンテナ２１１を有し、アンテナ２１１で受信されたテレビ放送信号をアンプ２１２で増幅して電源部２１３を介してテレビ受像機２１４へ供給している。アンプ２１２はアンテナ２１１の直下である屋外に設置されており、テレビ信号が伝達される同軸ケーブル等の信号伝送路を介して電源部２１３から動作用の直流電源（ＤＣ１５Ｖ）がアンプ２１２に供給されている。室内に設置された電源部２１３には、コンセントから商用電源（ＡＣ１００Ｖ）が供給されており、入力側の端子に接続された信号伝送路には、電源部２１３から直流電源が重畳されてアンプ２１２に供給されている。電源部２１３の出力側の端子からは、アンプ２１２で増幅されたテレビ放送信号が出力されてテレビ受像機２１４に供給されている。
【発明の開示】
【発明が解決しようとする課題】
【０００３】
ところで、現在地上デジタル放送用チャンネルを確保するためにアナログ放送用チャンネルのチャンネル変更がテレビ放送において行われている。この場合、チャンネル変更の結果によっては、同一チャンネル障害が起きてしまうチャンネルがある。例えば、埼玉地区においてはチャンネルが変更された結果、児玉局３０ｃｈのテレビ埼玉のチャンネルと、千葉地区における船橋局の千葉テレビデジタル放送の３０ｃｈとが同一チャンネルとなり、同一チャンネル障害が起きてしまうようになる。
同一チャンネル障害を回避する対策として、当該チャンネルで放送されたテレビ放送を異なるチャンネルで放送している他の放送局から受信することが考えられる。この場合は、他の放送局からテレビ放送を受信するアンテナを増設すると共に、既設のアンテナで受信されたテレビ放送の受信信号と混合する混合器が必要になる。この場合、同一チャンネル障害を生じているチャンネルは、既設のアンテナが受信可能なチャンネルのうちのチャンネルであって同一周波数帯域のうちのチャンネルとされて、周波数帯域が異なっていないことから、フィルタを用いて混合する混合器を使用することができない。この場合の混合器は、２分配器を逆に使用する混合器とされることから、この混合器の損失（理論的には３ｄＢの損失であるが、回路損失が加わるため約４ｄＢ以上の損失となる。）により、信号品質（ＣＮ比：Carrier to Noise ratio）が劣化してしまうと云う問題点があった。
【０００４】
また、多方向受信をフィルタを使用する混合器で混合するようにしていたアンテナ装置においては、同一チャンネル障害を異なるチャンネルで放送している他の放送局から受信する回避対策を取った場合に、フィルタを使用する混合器を使用できなくなる場合が生じる。すなわち、同一チャンネル障害を生じているチャンネルが、多方向受信における１つのアンテナが受信する周波数帯域のうちのチャンネルとされて、周波数帯域が異なっていないことから、フィルタを用いて混合する混合器を使用することができなくなる。この場合には、前述したように２分配器を逆に使用する混合器が用いられることになるが、この混合器の損失は前述したようにフィルタを用いて混合する混合器より大きいため信号品質が劣化してしまうようになる。
【０００５】
これを解決するために、２分配器を逆に使用する混合器の前段に増幅器を挿入して混合器の損失を補償することが考えられるが、この種の増幅器は家庭用としては存在しておらず、信号品質を改善するには共聴システム用機器を使用する必要があった。しかしながら、共聴システム用機器の仕様は、家庭用と異なることから既存のアンテナ装置は利用することができないことになり、新しくアンテナ装置を構築しなければならないことから高価なアンテナ装置になってしまうという問題点があった。
そこで、本発明は共聴システム用機器を使用することなく同一チャンネル障害を回避すると共に、信号品質の劣化を改善することのできるアンテナ装置を提供することを目的としている。
【課題を解決するための手段】
【０００６】
上記目的を達成するために、本発明のアンテナ装置は、第２の指向性アンテナで受信された受信信号を増幅するプリアンプを備え、出力側に接続された信号伝送路に重畳されて供給された直流電源を分離してプリアンプに供給すると共に、入力側に接続された信号伝送路に分離した直流電源を重畳させることにより、第１の指向性アンテナとプリアンプの出力を混合する混合器の混合出力を増幅するブースタに直流電源を供給する電源抽出器を設けるようにしたことを最も主要な特徴としている。
【発明の効果】
【０００７】
本発明によれば、第２の指向性アンテナで受信された受信信号を増幅するプリアンプを備え、出力側に接続された信号伝送路に重畳されて供給された直流電源を分離してプリアンプに供給すると共に、入力側に接続された信号伝送路に分離した直流電源を重畳させることにより、第１の指向性アンテナとプリアンプの出力を混合する混合器の混合出力を増幅するブースタに直流電源を供給する電源抽出器を設けるようにしたことから、共聴システム用機器を使用することなく同一チャンネル障害を回避すると共に、ＣＮ比（Carrier to Noise ratio）を改善して信号品質の劣化を防止することのできるアンテナ装置を提供することができるようになる。
【発明を実施するための最良の形態】
【０００８】
本発明の第１実施例のアンテナ装置の構成を図１に示す。第１実施例のアンテナ装置は、図１６に示す従来のアンテナ装置において同一チャンネル障害対策を施したアンテナ装置とされている。
図１に示す第１実施例のアンテナ装置１は、ＵＨＦ帯域の複数のチャンネルのテレビ放送を受信する既存の第１のＵＨＦアンテナ１０と、ＵＨＦ帯域において同一チャンネル障害を生じているテレビ放送を異なるチャンネルで受信する第２のＵＨＦアンテナ１１とを備えている。第１のＵＨＦアンテナ１０および第２のＵＨＦアンテナ１１は、八木アンテナ等の指向性アンテナとされており、第１のＵＨＦアンテナ１０は第１のテレビ放送局へ向けられており、第２のＵＨＦアンテナ１１は同一チャンネル障害を生じない異なるチャンネルのテレビ放送を送信している第２のテレビ放送局へ向けられている。
【０００９】
第２のＵＨＦアンテナ１１の受信信号はプリアンプ１２により増幅されて混合器１３に第１のＵＨＦアンテナ１０の受信信号と共に供給されている。混合器１３は、フィルタを用いていない混合器、すなわち、２分配器を逆に使用する混合器とされている。プリアンプ１２は、この混合器１３の損失を補償するために第２のＵＨＦアンテナ１１の直下の屋外に設けられている。混合器１３からは、第１のＵＨＦアンテナ１０の受信信号と第２のＵＨＦアンテナ１１の同一チャンネル障害が生じていないテレビ放送の受信信号とが混合されて出力される。この混合出力は既存のブースタ１４に供給されて増幅され、電源抽出器１５に供給されている。電源抽出器１５は信号伝送路により既存の電源部１６に接続されており、既存のブースタ１４から出力された混合信号を既存の電源部１６に送り出すと共に、信号伝送路に重畳されて既存の電源部１６から供給された直流電源（例えば、ＤＣ１５Ｖ）を分離して、分離した直流電源をプリアンプ１２に専用の給電線路を設けてプリアンプ１２に給電している。さらに、既存のブースタ１４と電源抽出器１５とを接続している信号伝送路に、直流電源を重畳して出力することにより、既存ブースタ１４に直流電源を供給している。なお、信号伝送路としては、一般に同軸ケーブルが用いられていることから、以下の記載においては信号伝送路を同軸ケーブルとして称するものとする。
【００１０】
既存の電源部１６は、電源抽出器１５と同軸ケーブルにより接続されており、この同軸ケーブルにより供給された混合信号をテレビ受像機（ＴＶ）１７に同軸ケーブルを介して供給している。ＴＶ１７には、第１のＵＨＦアンテナ１０で受信された複数のチャンネルのテレビ信号に加えて、第２のＵＨＦアンテナ１１で受信された同一チャンネル障害の生じていないテレビ信号が供給されるため、障害の生じていない画面を視聴することができるようになる。なお、第１のＵＨＦアンテナ１０と混合器１３との間、第２のＵＨＦアンテナ１１とプリアンプ１２との間、プリアンプ１２と混合器１３との間、混合器１３と既存のブースタ１４との間も同軸ケーブルにより接続されている。また、第１のＵＨＦアンテナ１０と、第２のＵＨＦアンテナ１１と、プリアンプ１２と、混合器１３と、既存のブースタ１４と、電源抽出器１５とは、屋外に設置されたポールに取り付けられる。この場合、ポールは２本としても良い。さらに、既存の電源部１６は室内に設置され、電源部１６から延伸された電源コードの先端に設けられたプラグが室内のコンセントに挿入されて商用電源（ＡＣ１００Ｖ）が電源部１６に供給されている。
このような構成によれば、プリアンプ１２により混合器１３の損失を補償することができると共に、電源抽出器１５によりプリアンプ１２に直流電源を供給することができることから、共聴システム用機器を使用することなく同一チャンネル障害を回避すると共に、ＣＮ比（Carrier to Noise ratio）を改善して信号品質の劣化を防止することのできるアンテナ装置とすることができる。
【００１１】
本発明の第２実施例のアンテナ装置の構成を図２に示す。第２実施例のアンテナ装置は、図１６に示す従来のアンテナ装置において同一チャンネル障害対策を施したアンテナ装置とされている。
図２に示す第２実施例のアンテナ装置２は、ＵＨＦ帯域の複数のチャンネルのテレビ放送を受信する既存の第１のＵＨＦアンテナ２０と、ＵＨＦ帯域において同一チャンネル障害を生じているテレビ放送を異なるチャンネルで受信する第２のＵＨＦアンテナ２１とを備えている。第１のＵＨＦアンテナ２０および第２のＵＨＦアンテナ２１は、八木アンテナ等の指向性アンテナとされており、第１のＵＨＦアンテナ２０は第１のテレビ放送局へ向けられており、第２のＵＨＦアンテナ２１は同一チャンネル障害を生じない異なるチャンネルのテレビ放送を送信している第２のテレビ放送局へ向けられている。
【００１２】
第１のＵＨＦアンテナ２１の受信信号は第１のプリアンプ２２ａにより増幅されて混合器２３に供給されていると共に、第２のＵＨＦアンテナ２１の受信信号は第２のプリアンプ２２ｂにより増幅されて混合器２３に供給されている。混合器２３は、フィルタを用いていない混合器、すなわち、２分配器を逆に使用する混合器とされている。第１のプリアンプ２２ａおよび第２のプリアンプ２２ｂは、この混合器２３の損失を補償するために第１のＵＨＦアンテナ２０の直下、および、第２のＵＨＦアンテナ２１の直下の屋外に設けられている。混合器２３からは、第１のＵＨＦアンテナ２０の受信信号と第２のＵＨＦアンテナ２１の同一チャンネル障害が生じていないテレビ放送の受信信号とが混合されて出力される。この混合出力は既存のブースタ２４に供給されて増幅され、電源抽出器２５に供給されている。電源抽出器２５は、既存のブースタ２４から出力された混合信号を既存の電源部２６に送り出すと共に、既存の電源部２６から同軸ケーブルに重畳されて供給された直流電源（例えば、ＤＣ１５Ｖ）を分離して、分離した直流電源を第１のプリアンプ２２ａおよび第２のプリアンプ２２ｂに専用の給電線路を設けて第１のプリアンプ２２ａおよび第２のプリアンプ２２ｂにそれぞれ給電している。さらに、電源抽出器１５は既存のブースタ２４と電源抽出器２５とを接続している同軸ケーブルに、直流電源を重畳して出力することにより、既存のブースタ２４に直流電源を供給している。
【００１３】
既存の電源部２６は、電源抽出器２５と同軸ケーブルにより接続されており、この同軸ケーブルにより供給された混合信号をテレビ受像機（ＴＶ）２７に同軸ケーブルを介して供給している。ＴＶ２７には、ＵＨＦアンテナ２０で受信された複数のチャンネルのテレビ信号に加えて、ＵＨＦアンテナ２１で受信された同一チャンネル障害の生じていないテレビ信号が供給されるため、障害の生じていない画面を視聴することができるようになる。なお、第１のＵＨＦアンテナ２０と第１のプリアンプ２２ａとの間、第１のプリアンプ２２ａと混合器２３との間、第２のＵＨＦアンテナ２１と第２のプリアンプ２２ｂとの間、第２のプリアンプ２２ｂと混合器２３との間、混合器２３と既存のブースタ２４との間も同軸ケーブルにより接続されている。また、第１のＵＨＦアンテナ２０と、第２のＵＨＦアンテナ２１と、第１のプリアンプ２２ａと、第２のプリアンプ２２ｂと、混合器２３と、既存のブースタ２４と、電源抽出器２５とは、屋外に設置されたポールに取り付けられる。この場合、ポールは複数本としても良い。さらに、既存の電源部２６は室内に設置され、電源部２６から延伸された電源コードの先端に設けられたプラグが室内のコンセントに挿入されて商用電源（ＡＣ１００Ｖ）が電源部２６に供給されている
このような構成によれば、第１のプリアンプ２２ａおよび第２のプリアンプ２２ｂにより混合器２３の損失を補償することができると共に、電源抽出器２５により第１のプリアンプ２２ａおよび第２のプリアンプ２２ｂに直流電源を供給することができることから、共聴システム用機器を使用することなく同一チャンネル障害を回避すると共に、ＣＮ比（Carrier to Noise ratio）を改善して信号品質の劣化を防止することのできるアンテナ装置とすることができる。
【００１４】
本発明の第３実施例のアンテナ装置の構成を図３に示す。第３実施例のアンテナ装置は、図１６に示す従来のアンテナ装置において同一チャンネル障害対策を施したアンテナ装置とされている。
図３に示す第３実施例のアンテナ装置３は、ＵＨＦ帯域の複数のチャンネルのテレビ放送を受信する既存の第１のＵＨＦアンテナ３０と、ＵＨＦ帯域において同一チャンネル障害を生じているテレビ放送を異なるチャンネルで受信する第２のＵＨＦアンテナ３１とを備えている。第１のＵＨＦアンテナ３０および第２のＵＨＦアンテナ３１は、八木アンテナ等の指向性アンテナとされており、第１のＵＨＦアンテナ３０は第１のテレビ放送局へ向けられており、第２のＵＨＦアンテナ３１は同一チャンネル障害を生じない異なるチャンネルのテレビ放送を送信している第２のテレビ放送局へ向けられている。
【００１５】
第２のＵＨＦアンテナ３１の受信信号はプリアンプ３２により増幅されて混合器３３に第１のＵＨＦアンテナ３０の受信信号と共に供給されている。混合器３３は、フィルタを用いていない混合器、すなわち、２分配器を逆に使用する混合器とされている。プリアンプ３２は、この混合器３３の損失を補償するために第２のＵＨＦアンテナ３１の直下である屋外に設けられている。混合器３３からは、第１のＵＨＦアンテナ３０の受信信号と第２のＵＨＦアンテナ３１の同一チャンネル障害が生じていないテレビ放送の受信信号とが混合されて出力される。この混合出力はブースタ３４に供給されて増幅され、同軸ケーブルを介して電源部３６に供給されている。電源部３６は、直流電源（例えば、ＤＣ１５Ｖ）を入力側に接続されている同軸ケーブルに重畳して送り出しており、この直流電源がブースタ３４に供給されている。ブースタ３４は供給された直流電源で動作すると共に、この直流電源を入力側の混合器３３に接続された同軸ケーブルに重畳して送り出している。混合器３３には、出力側に接続された同軸ケーブルから受けた直流電源を入力側のプリアンプ３２が接続されている同軸ケーブルに重畳して送り出すことのできる電通回路が付加されており、この電通回路および同軸ケーブルを介して直流電源がプリアンプ３２に供給されるようになる。
【００１６】
電源部３６は、ブースタ３４から同軸ケーブルを介して供給された混合信号をテレビ受像機（ＴＶ）３７に同軸ケーブルを介して供給している。ＴＶ３７には、第１のＵＨＦアンテナ３０で受信された複数のチャンネルのテレビ信号に加えて、第２のＵＨＦアンテナ３１で受信された同一チャンネル障害の生じていないテレビ信号が供給されるため、障害の生じていない画面を視聴することができるようになる。なお、第１のＵＨＦアンテナ３０と混合器３３との間、第２のＵＨＦアンテナ３１とプリアンプ３２との間、プリアンプ３２と混合器３３との間も同軸ケーブルにより接続されている。また、第１のＵＨＦアンテナ３０と、第２のＵＨＦアンテナ３１と、プリアンプ３２と、混合器３３と、ブースタ３４とは、屋外に設置されたポールに取り付けられる。この場合、ポールは複数本としても良い。さらに、電源部３６は室内に設置され、電源部３６から延伸された電源コードの先端に設けられたプラグが室内のコンセントに挿入されて商用電源（ＡＣ１００Ｖ）が電源部３６に供給されている。
このような構成によれば、プリアンプ３２により混合器３３の損失を補償することができると共に、電源部３６によりプリアンプ３２に直流電源を供給することができることから、共聴システム用機器を使用することなく同一チャンネル障害を回避すると共に、ＣＮ比（Carrier to Noise ratio）を改善して信号品質の劣化を防止することのできるアンテナ装置とすることができる。
【００１７】
本発明の第４実施例のアンテナ装置の構成を図４に示す。第４実施例のアンテナ装置は、図１６に示す従来のアンテナ装置において同一チャンネル障害対策を施したアンテナ装置とされている。
図４に示す第４実施例のアンテナ装置４は、ＵＨＦ帯域の複数のチャンネルのテレビ放送を受信する既存の第１のＵＨＦアンテナ４０と、ＵＨＦ帯域において同一チャンネル障害を生じているテレビ放送を異なるチャンネルで受信する第２のＵＨＦアンテナ４１とを備えている。第１のＵＨＦアンテナ４０および第２のＵＨＦアンテナ４１は、八木アンテナ等の指向性アンテナとされており、第１のＵＨＦアンテナ４０は第１のテレビ放送局へ向けられており、第２のＵＨＦアンテナ４１は同一チャンネル障害を生じない異なるチャンネルでテレビ放送を送信している第２のテレビ放送局へ向けられている。
【００１８】
第１のＵＨＦアンテナ４１の受信信号は第１のプリアンプ４２ａにより増幅されて混合器４３に供給されていると共に、第２のＵＨＦアンテナ４１の受信信号は第２のプリアンプ４２ｂにより増幅されて混合器４３に供給されている。混合器４３は、フィルタを用いていない混合器、すなわち、２分配器を逆に使用する混合器とされている。第１のプリアンプ４２ａおよび第２のプリアンプ４２ｂは、この混合器４３の損失を補償するために第１のＵＨＦアンテナ４０の直下、および、第２のＵＨＦアンテナ４１の直下である屋外に設けられている。混合器４３からは、第１のＵＨＦアンテナ４０の受信信号と第２のＵＨＦアンテナ４１の同一チャンネル障害が生じていないテレビ放送の受信信号とが混合されて出力される。この混合出力は既存のブースタ４４に供給されて増幅され、同軸ケーブルを介して電源部４６に供給されている。電源部４６は、直流電源（例えば、ＤＣ１５Ｖ）を入力側に接続された同軸ケーブルに重畳して送り出しており、この直流電源がブースタ４４に供給されている。ブースタ４４は供給された直流電源で動作すると共に、この直流電源を入力側の混合器４３に接続された同軸ケーブルに重畳して送り出している。混合器４３には、出力側の端子から受けた直流電源を入力側の第１のプリアンプ４２ａおよび第２のプリアンプ４２ｂがそれぞれ接続されている２本の同軸ケーブルに重畳して送り出すことのできる電通回路が付加されており、この電通回路を介して直流電源が第１のプリアンプ４２ａおよび第２のプリアンプ４２ｂに供給されるようになる。
【００１９】
電源部４６は、ブースタ４４から同軸ケーブルを介して供給された混合信号をテレビ受像機（ＴＶ）４７に同軸ケーブルを介して供給している。ＴＶ４７には、第１のＵＨＦアンテナ４０で受信された複数のチャンネルのテレビ信号に加えて、第２のＵＨＦアンテナ４１で受信された同一チャンネル障害の生じていないテレビ信号が供給されるため、障害の生じていない画面を視聴することができるようになる。なお、第１のＵＨＦアンテナ４０と第１のプリアンプ４２ａとの間、第１のプリアンプ４２ａと混合器４３との間、第２のＵＨＦアンテナ４１と第２のプリアンプ４２ｂとの間、第２のプリアンプ４２ｂと混合器４３との間も同軸ケーブルにより接続されている。また、第１のＵＨＦアンテナ４０と、第２のＵＨＦアンテナ４１と、第１のプリアンプ４２ａおよび第２のプリアンプ４２ｂと、混合器４３と、ブースタ４４とは、屋外に設置されたポールに取り付けられる。この場合、ポールは複数本としても良い。さらに、電源部４６は室内に設置され、電源部４６から延伸された電源コードの先端に設けられたプラグが室内のコンセントに挿入されて商用電源（ＡＣ１００Ｖ）が電源部４６に供給されている。
このような構成によれば、第１のプリアンプ４２ａおよび第２のプリアンプ４２ｂにより混合器４３の損失を補償することができると共に、電源部４６により第１のプリアンプ４２ａおよび第２のプリアンプ４２ｂに直流電源を供給することができることから、共聴システム用機器を使用することなく同一チャンネル障害を回避すると共に、ＣＮ比（Carrier to Noise ratio）を改善して信号品質の劣化を防止することのできるアンテナ装置とすることができる。
【００２０】
本発明の第５実施例のアンテナ装置の構成を図５に示す。第５実施例のアンテナ装置は、従来のＶＨＦアンテナとＵＨＦアンテナとを備えるアンテナ装置において同一チャンネル障害対策を施したアンテナ装置とされている。
図５に示す第５実施例のアンテナ装置５は、ＶＨＦ帯域の複数のチャンネルのテレビ放送を受信する既存のＶＨＦアンテナ５０と、ＵＨＦ帯域の複数のチャンネルのテレビ放送を受信する既存の第１のＵＨＦアンテナ５１と、ＵＨＦ帯域において同一チャンネル障害を生じているテレビ放送を異なるチャンネルで受信する第２のＵＨＦアンテナ５２とを備えている。ＶＨＦアンテナ５０および第１のＵＨＦアンテナ５１および第２のＵＨＦアンテナ５２は、八木アンテナ等の指向性アンテナとされており、ＶＨＦアンテナ５０はＶＨＦテレビ放送局へ向けられており、第１のＵＨＦアンテナ５１は第１のテレビ放送局へ向けられており、第２のＵＨＦアンテナ５２は同一チャンネル障害を生じない異なるチャンネルでテレビ放送を送信している第２のテレビ放送局へ向けられている。
【００２１】
第２のＵＨＦアンテナ５２の受信信号はプリアンプ５３により増幅されて混合器５４に第１のＵＨＦアンテナ５１の受信信号と共に供給されている。混合器５４は、フィルタを用いていない混合器、すなわち、２分配器を逆に使用する混合器とされている。プリアンプ５３は、この混合器５４の損失を補償するために第２のＵＨＦアンテナ５２の直下である屋外に設けられている。混合器５４からは、第１のＵＨＦアンテナ５１の受信信号と第２のＵＨＦアンテナ５２の同一チャンネル障害が生じていないテレビ放送の受信信号とが混合されて出力される。この混合出力は既存のＵ・Ｖブースタ５５に、ＶＨＦアンテナ５０の受信信号と共に供給されてそれぞれ増幅・混合されて出力される。この混合出力は同軸ケーブルを介して、電源抽出器５６に供給されている。電源抽出器５６は、既存のＵ・Ｖブースタ５５から出力された混合信号を既存の電源部５７に送り出すと共に、既存の電源部５７から入力側の信号伝送路に重畳されて供給された直流電源（例えば、ＤＣ１５Ｖ）を分離して、分離した直流電源をプリアンプ５３に専用の給電線路を設けてプリアンプ５３に給電している。さらに、既存のＵ・Ｖブースタ５５と電源抽出器５６とを接続している同軸ケーブルに、電源抽出器５６から直流電源を重畳して出力することにより、既存のＵ・Ｖブースタ５５に直流電源を供給している。
【００２２】
既存の電源部５７は、電源抽出器５６と同軸ケーブルにより接続されており、この同軸ケーブルにより供給された混合信号をテレビ受像機（ＴＶ）５８に同軸ケーブルを介して供給している。ＴＶ５８には、ＶＨＦアンテナ５０および第１のＵＨＦアンテナ５１で受信された複数のチャンネルのテレビ信号に加えて、第２のＵＨＦアンテナ５２で受信された同一チャンネル障害の生じていないテレビ信号が供給されるため、障害の生じていない画面を視聴することができるようになる。なお、ＶＨＦアンテナ５０と既存のＵ・Ｖブースタ５５との間、第１のＵＨＦアンテナ５１と混合器５４との間、第２のＵＨＦアンテナ５２とプリアンプ５３との間、プリアンプ５３と混合器５４との間、混合器５４と既存のブースタ５５との間も同軸ケーブルにより接続されている。また、ＶＨＦアンテナ５０と、第１のＵＨＦアンテナ５１と、第２のＵＨＦアンテナ５２と、プリアンプ５３と、混合器５４と、既存のＵ・Ｖブースタ５５と、電源抽出器５６とは、屋外に設置されたポールに取り付けられる。この場合、ポールは複数本としても良い。さらに、既存の電源部５７は室内に設置され、電源部５７から延伸された電源コードの先端に設けられたプラグが室内のコンセントに挿入されて商用電源（ＡＣ１００Ｖ）が電源部５７に供給されている。
このような構成によれば、プリアンプ５３により混合器５４の損失を補償することができると共に、電源抽出器５６によりプリアンプ５３に直流電源を供給することができることから、共聴システム用機器を使用することなく同一チャンネル障害を回避すると共に、ＣＮ比（Carrier to Noise ratio）を改善して信号品質の劣化を防止することのできるアンテナ装置とすることができる。
【００２３】
本発明の第６実施例のアンテナ装置の構成を図６に示す。第６実施例のアンテナ装置は、従来のＶＨＦアンテナとＵＨＦアンテナとＢＳアンテナを備えるアンテナ装置において同一チャンネル障害対策を施したアンテナ装置とされている。
図６に示す第６実施例のアンテナ装置６は、ＶＨＦ帯域の複数のチャンネルのテレビ放送を受信する既存のＶＨＦアンテナ６０と、ＵＨＦ帯域の複数のチャンネルのテレビ放送を受信する既存の第１のＵＨＦアンテナ６１と、ＵＨＦ帯域において同一チャンネル障害を生じているテレビ放送を異なるチャンネルで受信する第２のＵＨＦアンテナ６２と、BS衛星放送を受信するＢＳアンテナ６３とを備えている。ＶＨＦアンテナ６０および第１のＵＨＦアンテナ６１および第２のＵＨＦアンテナ６２は、八木アンテナ等の指向性アンテナとされており、ＶＨＦアンテナ６０はＶＨＦテレビ放送局へ向けられており、第１のＵＨＦアンテナ６１は第１のテレビ放送局へ向けられており、第２のＵＨＦアンテナ６２は同一チャンネル障害を生じない異なるチャンネルでテレビ放送を送信している第２のテレビ放送局へ向けられている。また、ＢＳアンテナ６３はパラボラアンテナとされて、ＢＳ放送衛星に向けられている。
【００２４】
第２のＵＨＦアンテナ６２の受信信号はプリアンプ６４により増幅されて混合器６５に第１のＵＨＦアンテナ６１の受信信号と共に供給されている。混合器６５は、フィルタを用いていない混合器、すなわち、２分配器を逆に使用する混合器とされている。プリアンプ６４は、この混合器６５の損失を補償するために第２のＵＨＦアンテナ６２の直下である屋外に設けられている。混合器６５からは、第１のＵＨＦアンテナ６１の受信信号と第２のＵＨＦアンテナ６２の同一チャンネル障害が生じていないテレビ放送の受信信号とが混合されて出力される。この混合出力は既存のＵ・Ｖ・ＢＳブースタ６６に、ＶＨＦアンテナ６０の受信信号およびＢＳアンテナ６３の受信信号と共に供給されてそれぞれ増幅され混合されて出力される。この混合出力は同軸ケーブルを介して、電源抽出器６７に供給されている。電源抽出器６７は、既存のＵ・Ｖ・ＢＳブースタ６６から出力された混合信号を既存の電源部６８に送り出すと共に、既存の電源部６８から入力側の信号伝送路に重畳されて出力された直流電源（例えば、ＤＣ１５Ｖ）を分離して、分離した直流電源をプリアンプ６４に専用の給電線路を設けてプリアンプ６４に給電している。さらに、既存のＵ・Ｖ・ＢＳブースタ６６と電源抽出器６７とを接続している同軸ケーブルに、電源抽出器６７から直流電源を重畳して出力することにより、既存のＵ・Ｖ・ＢＳブースタ６６に直流電源を供給している。既存のＵ・Ｖ・ＢＳブースタ６６は供給された直流電源で動作すると共に、この直流電源を入力側のＢＳアンテナ６３に接続された同軸ケーブルに重畳して送り出している。これにより、ＢＳアンテナ６３が同軸ケーブルを介して供給された直流電源で動作するようになる。
【００２５】
既存の電源部６８は、電源抽出器６７と同軸ケーブルにより接続されており、この同軸ケーブルにより供給された混合信号をテレビ受像機（ＴＶ）６９に同軸ケーブルを介して供給している。ＴＶ６９には、ＶＨＦアンテナ６０および第１のＵＨＦアンテナ６１で受信された複数のチャンネルのテレビ信号に加えて、第２のＵＨＦアンテナ６２で受信された同一チャンネル障害の生じていないテレビ信号と、ＢＳアンテナ６３で受信されたテレビ信号が供給されるため、障害の生じていない画面を視聴することができるようになる。なお、ＶＨＦアンテナ６０と既存のＵ・Ｖ・ＢＳブースタ６６との間、第１のＵＨＦアンテナ６１と混合器６５との間、第２のＵＨＦアンテナ６２とプリアンプ６４との間、プリアンプ６４と混合器６５との間、混合器６５と既存のＵ・Ｖ・ＢＳブースタ６６との間、ＢＳアンテナ６３と既存のＵ・Ｖ・ＢＳブースタ６６との間も同軸ケーブルにより接続されている。また、ＶＨＦアンテナ６０と、第１のＵＨＦアンテナ６１と、第２のＵＨＦアンテナ６２と、ＢＳアンテナ６３と、プリアンプ６４と、混合器６５と、既存のＵ・Ｖ・ＢＳブースタ６６と、電源抽出器６７とは、屋外に設置されたポールに取り付けられる。この場合、ポールは複数本としても良い。さらに、既存の電源部６８は室内に設置され、電源部６８から延伸された電源コードの先端に設けられたプラグが室内のコンセントに挿入されて商用電源（ＡＣ１００Ｖ）が電源部６８に供給されている。
このような構成によれば、プリアンプ６４により混合器６５の損失を補償することができると共に、電源抽出器６７によりプリアンプ６４に直流電源を供給することができることから、共聴システム用機器を使用することなく同一チャンネル障害を回避すると共に、ＣＮ比（Carrier to Noise ratio）を改善して信号品質の劣化を防止することのできるアンテナ装置とすることができる。
【００２６】
本発明の第７実施例のアンテナ装置の構成を図７に示す。第７実施例のアンテナ装置は、従来のＶＨＦアンテナとＵＨＦアンテナとを備えるアンテナ装置において同一チャンネル障害対策を施したアンテナ装置とされている。
図７に示す第７実施例のアンテナ装置７は、ＶＨＦ帯域の複数のチャンネルのテレビ放送を受信する既存のＶＨＦアンテナ７０と、ＵＨＦ帯域の複数のチャンネルのテレビ放送を受信する既存の第１のＵＨＦアンテナ７１と、ＵＨＦ帯域において同一チャンネル障害を生じているテレビ放送を異なるチャンネルで受信する第２のＵＨＦアンテナ７２とを備えている。ＶＨＦアンテナ７０および第１のＵＨＦアンテナ７１および第２のＵＨＦアンテナ７２は、八木アンテナ等の指向性アンテナとされており、ＶＨＦアンテナ７０はＶＨＦテレビ放送局へ向けられており、第１のＵＨＦアンテナ７１は第１のテレビ放送局へ向けられており、第２のＵＨＦアンテナ７２は同一チャンネル障害を生じない異なるチャンネルでテレビ放送を送信している第２のテレビ放送局へ向けられている。
【００２７】
第２のＵＨＦアンテナ７２の受信信号はプリアンプ７３により増幅されて混合器７４に第１のＵＨＦアンテナ７１の受信信号と共に供給されている。混合器７４は、フィルタを用いていない混合器、すなわち、２分配器を逆に使用する混合器とされている。プリアンプ７３は、この混合器７４の損失を補償するために第２のＵＨＦアンテナ７２の直下である屋外に設けられている。混合器７４からは、第１のＵＨＦアンテナ７１の受信信号と第２のＵＨＦアンテナ７２の同一チャンネル障害が生じていないテレビ放送の受信信号とが混合されて出力される。この混合出力は既存のＵ・Ｖブースタ７５に、ＶＨＦアンテナ７０の受信信号と共に供給されてそれぞれ増幅され混合されて出力される。この混合出力は同軸ケーブルを介して電源部７７に供給されている。電源部７７は、直流電源（例えば、ＤＣ１５Ｖ）を入力側に接続された同軸ケーブルに重畳して送り出しており、この直流電源がＵ・Ｖブースタ７５に供給されている。Ｕ・Ｖブースタ７５は供給された直流電源で動作すると共に、この直流電源を入力側の混合器７４に接続された同軸ケーブルに重畳して送り出している。混合器７４には、出力側の端子から受けた直流電源を入力側のプリアンプ７３が接続されている同軸ケーブルに重畳して送り出すことのできる電通回路が付加されており、この電通回路および同軸ケーブルを介して直流電源がプリアンプ７３に供給されるようになる。
【００２８】
電源部７７は、Ｕ・Ｖブースタ７５から同軸ケーブルを介して供給された混合信号をテレビ受像機（ＴＶ）７８に同軸ケーブルを介して供給している。ＴＶ７８には、ＶＨＦアンテナ７０および第１のＵＨＦアンテナ７１で受信された複数のチャンネルのテレビ信号に加えて、第２のＵＨＦアンテナ７２で受信された同一チャンネル障害の生じていないテレビ信号が供給されるため、障害の生じていない画面を視聴することができるようになる。なお、ＶＨＦアンテナ７０とＵ・Ｖブースタ７５との間、第１のＵＨＦアンテナ７１と混合器７４との間、第２のＵＨＦアンテナ７２とプリアンプ７３との間、プリアンプ７３と混合器７４との間、混合器７４とＵ・Ｖブースタ７５との間も同軸ケーブルにより接続されている。また、ＶＨＦアンテナ７０と、第１のＵＨＦアンテナ７１と、第２のＵＨＦアンテナ７２と、プリアンプ７３と、混合器７４と、Ｕ・Ｖブースタ７５とは、屋外に設置されたポールに取り付けられる。この場合、ポールは複数本としても良い。さらに、既存の電源部７７は室内に設置され、電源部７７から延伸された電源コードの先端に設けられたプラグが室内のコンセントに挿入されて商用電源（ＡＣ１００Ｖ）が電源部７７に供給されている。
このような構成によれば、プリアンプ７３により混合器７４の損失を補償することができると共に、電源部７７によりプリアンプ７３に直流電源を供給することができることから、共聴システム用機器を使用することなく同一チャンネル障害を回避すると共に、ＣＮ比（Carrier to Noise ratio）を改善して信号品質の劣化を防止することのできるアンテナ装置とすることができる。
【００２９】
本発明の第８実施例のアンテナ装置の構成を図８に示す。第８実施例のアンテナ装置は、従来のＶＨＦアンテナとＵＨＦアンテナとＢＳアンテナを備えるアンテナ装置において同一チャンネル障害対策を施したアンテナ装置とされている。
図８に示す第８実施例のアンテナ装置８は、ＶＨＦ帯域の複数のチャンネルのテレビ放送を受信する既存のＶＨＦアンテナ８０と、ＵＨＦ帯域の複数のチャンネルのテレビ放送を受信する既存の第１のＵＨＦアンテナ８１と、ＵＨＦ帯域において同一チャンネル障害を生じているテレビ放送を異なるチャンネルで受信する第２のＵＨＦアンテナ８２と、BS衛星放送を受信するＢＳアンテナ８３とを備えている。ＶＨＦアンテナ８０および第１のＵＨＦアンテナ８１および第２のＵＨＦアンテナ８２は、八木アンテナ等の指向性アンテナとされており、ＶＨＦアンテナ８０はＶＨＦテレビ放送局へ向けられており、第１のＵＨＦアンテナ８１は第１のテレビ放送局へ向けられており、第２のＵＨＦアンテナ８２は同一チャンネル障害を生じない異なるチャンネルでテレビ放送を送信している第２のテレビ放送局へ向けられている。また、ＢＳアンテナ８３はパラボラアンテナとされて、ＢＳ放送衛星に向けられている。
【００３０】
第２のＵＨＦアンテナ８２の受信信号はプリアンプ８４により増幅されて混合器８５に第１のＵＨＦアンテナ８１の受信信号と共に供給されている。混合器８５は、フィルタを用いていない混合器、すなわち、２分配器を逆に使用する混合器とされている。プリアンプ８４は、この混合器８５の損失を補償するために第２のＵＨＦアンテナ８２の直下である屋外に設けられている。混合器８５からは、第１のＵＨＦアンテナ８１の受信信号と第２のＵＨＦアンテナ８２の同一チャンネル障害が生じていないテレビ放送の受信信号とが混合されて出力される。この混合出力はＵ・Ｖ・ＢＳブースタ８６に、ＶＨＦアンテナ８０の受信信号およびＢＳアンテナ８３の受信信号と共に供給されてそれぞれ増幅され混合されて出力される。この混合出力は同軸ケーブルを介して、電源部８７に供給されている。電源部８７は、直流電源（例えば、ＤＣ１５Ｖ）を入力側の端子に接続された同軸ケーブルに重畳して送り出しており、この直流電源がＵ・Ｖ・ＢＳブースタ８６に供給されている。Ｕ・Ｖ・ＢＳブースタ８６は供給された直流電源で動作すると共に、この直流電源を入力側の混合器８５に接続された同軸ケーブルに重畳して送り出している。混合器８５には、出力側に接続されている同軸ケーブルから受けた直流電源を入力側のプリアンプ８４が接続されている同軸ケーブルに重畳して送り出すことのできる電通回路が付加されており、この電通回路を介して直流電源がプリアンプ８４に供給されるようになる。また、Ｕ・Ｖ・ＢＳブースタ８６は入力側のＢＳアンテナ８３に接続された同軸ケーブルに重畳して直流電源を送り出している。これにより、ＢＳアンテナ８３が同軸ケーブルを介して供給された直流電源で動作するようになる。
【００３１】
電源部８７は、Ｕ・Ｖ・ＢＳブースタ８６から同軸ケーブルを介して供給された混合信号をテレビ受像機（ＴＶ）８８に同軸ケーブルを介して供給している。ＴＶ８８には、ＶＨＦアンテナ８０および第１のＵＨＦアンテナ８１で受信された複数のチャンネルのテレビ信号に加えて、第２のＵＨＦアンテナ８２で受信された同一チャンネル障害の生じていないテレビ信号と、ＢＳアンテナ８３で受信されたテレビ信号が供給されるため、障害の生じていない画面を視聴することができるようになる。なお、ＶＨＦアンテナ８０とＵ・Ｖ・ＢＳブースタ８６との間、第１のＵＨＦアンテナ８１と混合器８５との間、第２のＵＨＦアンテナ８２とプリアンプ８４との間、プリアンプ８４と混合器８５との間、混合器８５と既存のＵ・Ｖ・ＢＳブースタ８６との間、ＢＳアンテナ８３と既存のＵ・Ｖ・ＢＳブースタ８６との間も同軸ケーブルにより接続されている。また、ＶＨＦアンテナ８０と、第１のＵＨＦアンテナ８１と、第２のＵＨＦアンテナ８２と、ＢＳアンテナ８３と、プリアンプ８４と、混合器８５と、既存のＵ・Ｖ・ＢＳブースタ８６とは、屋外に設置されたポールに取り付けられる。この場合、ポールは複数本としても良い。さらに、既存の電源部８７は室内に設置され、電源部８７から延伸された電源コードの先端に設けられたプラグが室内のコンセントに挿入されて商用電源（ＡＣ１００Ｖ）が電源部８７に供給されている。
このような構成によれば、プリアンプ８４により混合器８５の損失を補償することができると共に、電源部８７によりプリアンプ８４に直流電源を供給することができることから、共聴システム用機器を使用することなく同一チャンネル障害を回避すると共に、ＣＮ比（Carrier to Noise ratio）を改善して信号品質の劣化を防止することのできるアンテナ装置とすることができる。
【００３２】
次に、本発明の第１，２，５，６実施例において用いられている電源抽出器の構成を示す回路図を図９に示す。
図９に示す電源抽出器１００は、入力端子ＩＮと出力端子ＯＵＴと第１の電源出力端子ＰＷ  ＯＵＴ１が設けられており、必要に応じて第２の電源出力端子ＰＷ  ＯＵＴ２を設けることができるようにされている。入力端子ＩＮは、同軸ケーブルによりブースタに接続され、ブースタで増幅された混合信号が入力端子ＩＮに供給される。入力端子ＩＮに供給された混合信号は高周波信号であることからコンデンサＣ１を通過して出力端子ＯＵＴから出力されると共に、チョークコイルＬ１およびチョークコイルＬ２では通過が阻止される。また、出力端子ＯＵＴは同軸ケーブルにより電源部と接続され、電源部において同軸ケーブルに重畳されて出力された直流電源が出力端子ＯＵＴに供給される。この直流電源は、コンデンサＣ１により阻止されるもののチョークコイルＬ２を通過し、さらにチョークコイルＬ３を通過して第１の電源出力端子ＰＷ  ＯＵＴ１から出力される。
【００３３】
また、第２の電源出力端子ＰＷ  ＯＵＴ２が必要に応じて設けられている場合は、チョークコイルＬ２を通過し、さらにチョークコイルＬ３を通過した直流電源が第２の電源出力端子ＰＷ  ＯＵＴ２から出力される。このようにして分離された直流電源は第１の電源出力端子ＰＷ  ＯＵＴ１に接続された給電線路を介してプリアンプに供給される。さらに、第２の電源出力端子ＰＷ  ＯＵＴ２が必要に応じて設けられている場合は、分離された直流電源が第２の電源出力端子ＰＷ  ＯＵＴ２に接続された給電線路を介して第２のプリアンプに供給される。
さらにまた、コンデンサＣ１およびチョークコイルＬ２で分離された直流電源はチョークコイルＬ１を通過して入力端子ＩＮから同軸ケーブルに重畳されて出力され、この直流電源は電源抽出器１００に同軸ケーブルで接続されているブースタに動作電源として供給されるようになる。コンデンサＣ２は漏れ成分等をアースするバイパスコンデンサである。
【００３４】
次に、本発明の第１実施例ないし第８実施例において用いられているプリアンプの第１の構成例を示す回路図を図１０に示す。
図１０に示すプリアンプ１１０は、入力端子ＩＮと出力端子ＯＵＴと電源入力端子ＰＷ  ＩＮとを有している。このプリアンプ１１０は、電源入力端子ＰＷ  ＩＮに専用の給電線路を介して供給された直流電源で動作すると共に、出力端子ＯＵＴに供給された直流電源によっても動作するようにされている。プリアンプ１１０の入力端子ＩＮは同軸ケーブルを介してＵＨＦアンテナに接続されており、プリアンプ１１０にはＵＨＦアンテナの受信信号が入力されている。プリアンプ１１０の入力端子ＩＮに入力された受信信号はバンドパスフィルタ（ＢＰＦ）１１１により不要波成分が除去され、アンプ（ＡＭＰ）１１２により増幅される。増幅された受信信号はゲインコントロール（Ｇ．Ｃ）回路により所定レベルに調整され、ＢＰＦ１１３を通って出力端子ＯＵＴから出力される。
【００３５】
出力端子ＯＵＴには混合器に接続されている同軸ケーブルが接続されており、この同軸ケーブルを介してプリアンプ１１０から出力された受信信号が混合器に供給される。電源入力端子ＰＷ  ＩＮに供給された直流電源はダイオードＤ１を介してアンプ１１２に動作電源として供給される。この場合、ダイオードＤ１を通過した直流電源は、ダイオードＤ２で阻止されるため出力端子ＯＵＴからは出力されない。また、出力端子ＯＵＴに接続されている同軸ケーブルに重畳されてプリアンプ１１０に供給された直流電源は、チョークコイルＬ１０を通り、さらにダイオードＤ２を通過してアンプ１１２に動作電源として供給される。この場合、ダイオードＤ２を通過した直流電源は、ダイオードＤ１で阻止されるため電源入力端子ＰＷ  ＩＮからは出力されない。コンデンサＣ１０は漏れ成分等をアースするバイパスコンデンサである。
【００３６】
次に、本発明の第１実施例ないし第８実施例において用いられているプリアンプの第２の構成例を示す回路図を図１１に示す。
図１１に示すプリアンプ１２０は、入力端子ＩＮと出力端子ＯＵＴと電源入力端子ＰＷ  ＩＮとを有している。このプリアンプ１２０は、電源入力端子ＰＷ  ＩＮに専用の給電線路を介して供給された直流電源で動作すると共に、出力端子ＯＵＴに供給された直流電源によっても動作するようにされている。プリアンプ１２０の入力端子ＩＮは同軸ケーブルを介してＵＨＦアンテナに接続されており、プリアンプ１２０にはＵＨＦアンテナの受信信号が入力されている。プリアンプ１２０の入力端子ＩＮに入力された受信信号はバンドパスフィルタ（ＢＰＦ）１２１により不要波成分が除去され、アンプ（ＡＭＰ）１２２により増幅される。増幅された受信信号はゲインコントロール（Ｇ．Ｃ）回路により所定レベルに調整され、ＢＰＦ１２３を通って出力端子ＯＵＴから出力される。
【００３７】
出力端子ＯＵＴには混合器に接続されている同軸ケーブルが接続されており、この同軸ケーブルを介してプリアンプ１２０から出力された受信信号が混合器に供給される。電源入力端子ＰＷ  ＩＮに供給された直流電源はスイッチＳＷの第２固定接点ｃに供給される。この場合、可動接点ａを第２固定接点ｃ側に切り換えることにより、直流電源が第２固定接点ｃおよび可動接点ａを介してアンプ１２２に動作電源として供給される。また、出力端子ＯＵＴに接続されている同軸ケーブルに重畳されてプリアンプ１２０に直流電源が供給された場合は、スイッチＳＷの可動接点ａを第１固定接点ｂ側に切り換える。これにより、出力端子ＯＵＴに供給された直流電源はチョークコイルＬ２０を通り、さらに第１固定接点ｂおよび可動接点ａを介してアンプ１２２に動作電源として供給される。コンデンサＣ２０は漏れ成分等をアースするバイパスコンデンサである。
【００３８】
次に、本発明の第５実施例および第７実施例において用いられているＵ・Ｖブースタの構成例を示す回路図を図１２に示す。
図１２に示すＵ・Ｖブースタ１３０は、同軸ケーブルを介してＶＨＦアンテナが接続されて、ＶＨＦアンテナの受信信号が供給される入力端子ＶＨＦ  ＩＮと、同軸ケーブルを介して混合器が接続されてＵＨＦアンテナの受信信号が供給される入力端子ＵＨＦ  ＩＮとが設けられている。入力端子ＶＨＦ  ＩＮに供給されたＶＨＦ受信信号は、ＢＰＦ１３１において不要波成分が除去されＡＭＰ１３２で増幅されて混合器（ＭＩＸ）１３３に供給される。また、入力端子ＵＨＦ  ＩＮに供給されたＵＨＦ受信信号は、ＢＰＦ１３４において不要波成分が除去されＡＭＰ１３５で増幅されて混合器（ＭＩＸ）１３３に供給される。ＭＩＸ１３３は、混合する信号がＶＨＦ信号とＵＨＦ信号と周波数帯域が異なることからフィルタを使用する混合器とされている。混合器１３３から出力されるＶＨＦ受信信号とＵＨＦ受信信号とが混合された混合信号が出力端子ＯＵＴから出力される。
出力端子ＯＵＴに接続された同軸ケーブルには直流電源が重畳されて供給され、供給された直流電源はチョークコイルＬ３１を通過し、ＡＭＰ１３２およびＡＭＰ１３５に動作電源として供給される。さらに、この直流電源はチョークコイルＬ３０を介して入力端子ＵＨＦ  ＩＮから出力される。入力端子ＵＨＦ  ＩＮから同軸ケーブルに重畳されて出力された直流電源は混合器に供給され、この混合器に電通回路が設けられている場合は、直流電源が混合器を介してプリアンプに供給されるようになる。コンデンサＣ３０，Ｃ３１は漏れ成分等をアースするバイパスコンデンサである。
【００３９】
次に、本発明の第６実施例および第８実施例において用いられているＵ・Ｖ・ＢＳブースタの構成例を示す回路図を図１３に示す。
図１３に示すＵ・Ｖ・ＢＳブースタ１４０は、同軸ケーブルを介してＶＨＦアンテナが接続されて、ＶＨＦアンテナの受信信号が供給される入力端子ＶＨＦ  ＩＮと、同軸ケーブルを介して混合器が接続されてＵＨＦアンテナの受信信号が供給される入力端子ＵＨＦ  ＩＮと、同軸ケーブルを介してＢＳアンテナが接続されて、ＢＳアンテナの受信信号が供給される入力端子ＢＳ  ＩＮが設けられている。入力端子ＶＨＦ  ＩＮに供給されたＶＨＦ受信信号は、ＢＰＦ１４１において不要波成分が除去されＡＭＰ１４２で増幅されて第１混合器（ＭＩＸ）１４３に供給される。また、入力端子ＵＨＦ  ＩＮに供給されたＵＨＦ受信信号は、ＢＰＦ１４４において不要波成分が除去されＡＭＰ１４５で増幅されて第１混合器（ＭＩＸ）１４３に供給される。第１ＭＩＸ１４３は、混合する信号がＶＨＦ信号とＵＨＦ信号と周波数帯域が異なることからフィルタを使用する混合器とされている。
【００４０】
さらに、入力端子ＢＳ  ＩＮに供給されたＢＳ受信信号は、ＢＰＦ１４７において不要波成分が除去されＡＭＰ１４８で増幅されて第２混合器（ＭＩＸ）１４６に供給される。この第２ＭＩＸ１４６には、第１ＭＩＸ１４３からの混合信号が入力されており、第２ＭＩＸ１４６からＶＨＦ受信信号とＵＨＦ受信信号とＢＳ受信号とが混合されて出力される。この混合出力は出力端子ＯＵＴから出力される。
出力端子ＯＵＴに接続された同軸ケーブルには直流電源が重畳されて供給され、供給された直流電源はチョークコイルＬ４２を通過し、ＡＭＰ１４２およびＡＭＰ１４５、ＡＭＰ１４８に動作電源として供給される。さらに、この直流電源はチョークコイルＬ４０を介して入力端子ＵＨＦ  ＩＮから出力されると共に、チョークコイルＬ４１を介して入力端子ＢＳ  ＩＮから出力される。ＵＨＦ  ＩＮ入力端子から同軸ケーブルに重畳されて出力された直流電源は混合器に供給され、この混合器に電通回路が設けられている場合は、直流電源が混合器を介してＵＨＦ受信信号を増幅するプリアンプに供給されるようになる。また、ＢＳ  ＩＮ入力端子から同軸ケーブルに重畳されて出力された直流電源はＢＳアンテナに供給され、ＢＳアンテナの動作電源となる。コンデンサＣ４０，Ｃ４１は漏れ成分等をアースするバイパスコンデンサである。
【００４１】
次に、本発明の第１実施例ないし第４実施例において用いられているＵＨＦ受信信号を増幅するブースタの構成例を示す回路図を図１４に示す。
図１４に示すＵＨＦブースタ１５０は、同軸ケーブルを介してＵＨＦ受信信号を混合する混合器が接続されて、ＵＨＦアンテナの混合された受信信号が供給される入力端子ＩＮと、同軸ケーブルを介して電源抽出器あるいは電源部が接続されて増幅されたＵＨＦ受信信号が出力される出力端子ＯＵＴが設けられている。ＵＨＦ入力端子に供給された混合器から出力されたＵＨＦ受信信号は、ＢＰＦ１５１において不要波成分が除去されてＡＭＰ１５２で増幅され、さらに、ＢＰＦ１５３において不要波成分が除去されて出力端子ＯＵＴから出力される。
出力端子ＯＵＴに同軸ケーブルを介して電源部が接続されている場合には、電源部から同軸ケーブルに重畳された直流電源が出力端子ＯＵＴに供給され、供給された直流電源はチョークコイルＬ５１を通過し、ＡＭＰ１５２に動作電源として供給される。さらに、この直流電源はチョークコイルＬ５０を介して入力端子ＩＮから出力される。入力端子ＩＮに接続されている同軸ケーブルに重畳されて出力された直流電源は混合器に供給され、この混合器に電通回路が設けられている場合は、直流電源が混合器を介してプリアンプに供給されるようになる。コンデンサＣ５０，Ｃ５１は漏れ成分等をアースするバイパスコンデンサである。
【産業上の利用可能性】
【００４２】
以上説明したように本発明にかかるアンテナ装置においては、同一チャンネル障害を回避する第２の指向性アンテナを新たに設け、このアンテナの受信信号を混合器で第１の指向性アンテナの受信信号に混合するようにしている。そこで、混合器による損失をプリアンプで補償しているが、プリアンプの動作電源を信号伝送路に重畳されている直流電源を利用して得るようにすることにより、共聴システム用機器を使用することなく同一チャンネル障害を回避すると共に、ＣＮ比（Carrier to Noise ratio）を改善して信号品質の劣化を防止することのできるアンテナ装置としている。この場合、電源抽出器を設けることにより、ブースタや混合器は従前のものを利用することができるようになる。また、電源抽出器を用いない場合は、ブースタや混合器に直流電源が通過できる電通回路を設けるようにすればよいことになる。
【図面の簡単な説明】
【００４３】
【図１】本発明の第１実施例のアンテナ装置の構成を示す図である。
【図２】本発明の第２実施例のアンテナ装置の構成を示す図である。
【図３】本発明の第３実施例のアンテナ装置の構成を示す図である。
【図４】本発明の第４実施例のアンテナ装置の構成を示す図である。
【図５】本発明の第５実施例のアンテナ装置の構成を示す図である。
【図６】本発明の第６実施例のアンテナ装置の構成を示す図である。
【図７】本発明の第７実施例のアンテナ装置の構成を示す図である。
【図８】本発明の第８実施例のアンテナ装置の構成を示す図である。
【図９】本発明の第１，２，５，６実施例において用いられている電源抽出器の構成を示す回路図である。
【図１０】本発明の第１実施例ないし第８実施例において用いられているプリアンプの第１の構成例を示す回路図である。
【図１１】本発明の第１実施例ないし第８実施例において用いられているプリアンプの第２の構成例を示す回路図である。
【図１２】本発明の第５実施例および第７実施例において用いられているＵ・Ｖブースタの構成例を示す回路図である。
【図１３】本発明の第６実施例および第８実施例において用いられているＵ・Ｖ・ＢＳブースタの構成例を示す回路図である。
【図１４】第１実施例ないし第４実施例において用いられているＵＨＦ受信信号を増幅するブースタの構成例を示す回路図である。
【図１５】従来のアンテナ装置の構成例を示す図である。
【図１６】従来のアンテナ装置の他の構成例を示す図である。
【符号の説明】
【００４４】
１  アンテナ装置、２  アンテナ装置、３  アンテナ装置、４  アンテナ装置、５  アンテナ装置、６  アンテナ装置、７  アンテナ装置、８  アンテナ装置、１０  第１のＵＨＦアンテナ、１１  第２のＵＨＦアンテナ、１２  プリアンプ、１３  混合器、１４  ブースタ、１４  ブースタ、１５  電源抽出器、１６  電源部、２０  第１のＵＨＦアンテナ、２１  第２のＵＨＦアンテナ、２２ａ  第１のプリアンプ、２２ｂ  第２のプリアンプ、２３  混合器、２４  ブースタ、２４  既存ブースタ、２５  電源抽出器、２６  電源部、３０  第１のＵＨＦアンテナ、３１  第２のＵＨＦアンテナ、３２  プリアンプ、３３  混合器、３４  ブースタ、３６  電源部、４０  第１のＵＨＦアンテナ、４１  第２のＵＨＦアンテナ、４２ａ  第１のプリアンプ、４２ｂ  第２のプリアンプ、４３  混合器、４４  ブースタ、４６  電源部、５０  ＶＨＦアンテナ、５１  第１のＵＨＦアンテナ、５２  第２のＵＨＦアンテナ、５３  プリアンプ、５４  混合器、５５  Ｕ・Ｖブースタ、５６  電源抽出器、５７  電源部、６０  ＶＨＦアンテナ、６１  第１のＵＨＦアンテナ、６２  第２のＵＨＦアンテナ、６３  ＢＳアンテナ、６４  プリアンプ、６５  混合器、６６  Ｕ・Ｖ・ＢＳブースタ、６７  電源抽出器、６８  電源部、７０  ＶＨＦアンテナ、７１  第１のＵＨＦアンテナ、７２  第２のＵＨＦアンテナ、７３  プリアンプ、７４  混合器、７５  Ｕ・Ｖブースタ、７７  電源部、８０  ＶＨＦアンテナ、８１  第１のＵＨＦアンテナ、８２  第２のＵＨＦアンテナ、８３  ＢＳアンテナ、８４  プリアンプ、８５  混合器、８６  Ｕ・Ｖ・ＢＳブースタ、８７  電源部、１００  電源抽出器、１１０  プリアンプ、１１１  ＢＰＦ、１１２  アンプ、１１３  ＢＰＦ、１２０  プリアンプ、１２１  ＢＰＦ、１２２  アンプ、１２３  ＢＰＦ、１３０  ブースタ、１３１  ＢＰＦ、１３２  アンプ、１３３  混合器、１３４  ＢＰＦ、１３５  アンプ、１４０  ブースタ、１４１  ＢＰＦ、１４２  アンプ、１４３  混合器、１４４  ＢＰＦ、１４５  アンプ、１４６  混合器、１４７  ＢＰＦ、１４８  アンプ、１５０  ブースタ、１５１  ＢＰＦ、１５２  アンプ、１５３  ＢＰＦ、２００  アンテナ装置、２０１  アンテナ、２０２  アンプ、２０３  テレビ受像機、２１０  アンテナ装置、２１１  アンテナ、２１２  アンプ、２１３  電源部、２１４  テレビ受像機
【図１】
2007096573.tif 000003
【図２】
2007096573.tif 000004
【図３】
2007096573.tif 000005
【図４】
2007096573.tif 000006
【図５】
2007096573.tif 000007
【図６】
2007096573.tif 000008
【図７】
2007096573.tif 000009
【図８】
2007096573.tif 000010
【図９】
2007096573.tif 000011
【図１０】
2007096573.tif 000012
【図１１】
2007096573.tif 000013
【図１２】
2007096573.tif 000014
【図１３】
2007096573.tif 000015
【図１４】
2007096573.tif 000016
【図１５】
2007096573.tif 000017
【図１６】
2007096573.tif 000018